(57)【要約】【課題】市街地において携帯移動通信端末に表示パネルに周辺地図、該端末の利用者自身の現在位置と目的地を表示パネルに表示することを目的とする。【解決手段】本発明の位置情報提供システムは電子タグリーダ１２およびＧＰＳ信号受信機能４を有する携帯移動通信端末１、と街路地図および該地図上に存在する複数の目的地に一対一で対応する複数の電子タグ２３を有する掲示板２０を備える。前記複数の電子タグ２３の各は複数の目的地の名称と位置を示す一覧表と、これらの目的地を含む周辺地図からなる目的地情報を格納し、前記電子タグリーダ１２は前記複数の電子タグの１つから目的地情報を読み出し該目的地情報に含まれる周辺地図を前記端末の表示パネル９に表示し、該周辺地図上に少なくとも１つの目的地の位置と前記ＧＰＳ信号受信機能４から得た端末の位置を表示する。【選択図】図１
2007271391.tif 000002
【特許請求の範囲】
【請求項１】
電子タグリーダおよびＧＰＳ信号受信機能を有する携帯移動通信端末と、
街路地図および該地図上に存在する複数の目的地に一対一で対応する複数の電子タグを有する掲示板を備え、
前記複数の電子タグの各は複数の目的地の名称と位置を示す一覧表と、これらの目的地を含む周辺地図からなる目的地情報を格納し、
前記電子タグリーダは前記複数の電子タグの１つから目的地情報を読み出し該目的地情報に含まれる周辺地図を前記端末の表示パネルに表示し、該周辺地図上に少なくとも１つの目的地の位置と前記ＧＰＳ信号受信機能から得た端末の位置を表示することを特徴とする位置情報提供システム。
【請求項２】
前記端末はメモリを有し、前記読み出した複数の目的地の位置を該メモリに格納し、該複数の目的地の名称を前記端末の表示パネルに表示し、利用者からの選択指示に基づき表示された目的地の名称のうち少なくとも１つを選択し、該選択された名称の目的地を前記周辺地図上に表示することを特徴とする請求項１の位置情報提供システム。
【請求項３】
前記端末は前記表示パネル上に端末位置情報を取得することを利用者の第一選択項目とし、目的地情報を取得することを利用者の第二選択項目として表示し、前記利用者が該第一選択項目を選択した場合前記ＧＰＳ信号受信機能を動作させ端末の位置情報を取得し、前記利用者が該第二選択項目を選択した場合目的地の名称一覧表を前記端末の表示パネルに表示することを特徴とする請求項２の位置情報提供システム。
【請求項４】
前記携帯移動通信端末は前記利用者の入力操作に応じ前記ＧＰＳ信号受信機能から端末の最新位置を得、該最新位置で前記表示パネル上の端末の位置を更新することを特徴とする請求項２または３の位置情報提供システム。
【請求項５】
前記携帯移動通信端末は前記利用者の入力操作に応じ、前記メモリから複数の目的地の名称を読み出し、前記表示パネルに表示し、該利用者からの選択指示に基づき該表示された目的地の名称のうちの１つを選択し、該選択された名称の目的地を前記周辺地図上に追加表示することを特徴とする請求項２，３または４の位置情報提供システム。
【請求項６】
a)携帯移動通信端末の電子タグリーダを街路地図上に存在する複数の目的地に一対一で対応する複数の電子タグの１つに接近させ目的地の名称と位置を示す一覧表と、これらの目的地を含む周辺地図を読み出すステップ、
b)該周辺地図を前記端末の表示パネルに表示するステップ、
c)前記端末のＧＰＳ信号受信機能を利用し該端末の位置を取得するステップ、
d)取得した端末の位置を前記表示された周辺地図上に表示するステップ、と
e)前記周辺地図上に少なくとも１つの目的地の位置を表示するステップを含む
ことを特徴とする位置情報提供方法。
【請求項７】
前記ステップ(a)は前記読み出した複数の目的地の位置をメモリに格納し、前記ステップ（ｂ）は該複数の目的地の名称を前記端末の表示パネルに表示し、利用者からの選択指示に基づき表示された目的地の名称のうち少なくとも１つを選択し、該選択された名称の目的地を前記周辺地図上に表示することを特徴とする請求項６の位置情報提供方法。
【請求項８】
前記ステップ（ｂ）は前記表示パネル上に端末位置情報を取得することを利用者の第一選択項目とし、目的地情報を取得することを利用者の第二選択項目として表示し、前記利用者が該第一選択項目を選択した場合前記ＧＰＳ信号受信機能を動作させ端末の位置情報を取得し、前記利用者が該第二選択項目を選択した場合目的地の名称一覧表を前記端末の表示パネルに表示することを特徴とする請求項７の位置情報提供方法。
【請求項９】
前記携帯移動通信端末は前記利用者の入力操作に応じ前記ＧＰＳ信号受信機能から端末の最新位置を得、該最新位置で前記表示パネル上の端末の位置を更新することを特徴とする請求項７または８の位置情報提供方法。
【請求項１０】
前記携帯移動通信端末は前記利用者の入力操作に応じ、前記メモリから複数の目的地の名称を読み出し、前記表示パネルに表示し、該利用者からの選択指示に基づき該表示された目的地の名称のうちの１つを選択し、該選択された名称の目的地を前記周辺地図上に追加表示することを特徴とする請求項７，８または９の位置情報提供方法。
【請求項１１】
街路地図および該地図上に存在する複数の目的地に一対一で対応する複数の電子タグの１つに近接したとき、該電子タグから目的地の名称と位置を示す一覧表と、これらの目的地を含む周辺地図からなる目的地情報を読み出す電子タグリーダ、
ＧＰＳ信号受信機能、
表示パネル、と
読み出された目的地情報に含まれる周辺地図を該表示パネルに表示し、該周辺地図上に少なくとも１つの目的地の位置と前記ＧＰＳ信号受信機能から得た端末の位置を該表示パネルに表示する制御部を備えることを特徴とする携帯移動通信端末。
【請求項１２】
前記制御部は前記読み出した複数の目的地の位置をメモリに格納し、該複数の目的地の名称を前記表示パネルに表示し、利用者からの選択指示に基づき表示された目的地の名称のうち少なくとも１つを選択し、該選択された名称の目的地を前記周辺地図上に表示することを特徴とする請求項１１の携帯移動通信端末。
【請求項１３】
前記制御部は前記表示パネル上に端末位置情報を取得することを利用者の第一選択項目とし、目的地情報を取得することを利用者の第二選択項目として表示し、前記利用者が該第一選択項目を選択した場合前記ＧＰＳ信号受信機能を動作させ端末の位置情報を取得し、前記利用者が該第二選択項目を選択した場合目的地の名称一覧表を前記表示パネルに表示することを特徴とする請求項１２の携帯移動通信端末。
【請求項１４】
前記制御部は前記利用者の入力操作に応じ前記ＧＰＳ信号受信機能から端末の最新位置を得、該最新位置で前記表示パネル上の端末の位置を更新することを特徴とする請求項１２または１３の携帯移動通信端末。
【請求項１５】
前記制御部は前記利用者の入力操作に応じ、前記メモリから複数の目的地の名称を読み出し、前記表示パネルに表示し、該利用者からの選択指示に基づき該表示された目的地の名称のうち１つを選択し、該選択された名称の目的地を前記周辺地図上に追加表示することを特徴とする請求項１２，１３または１４の携帯移動通信端末。
【請求項１６】
請求項６乃至１０の位置情報提供方法を実施するためのコンピュータプログラム。
【発明の詳細な説明】
【技術分野】
【０００１】
本発明は、携帯移動通信端末の利用者自身の位置を地図上に表示する技術に関する。特に、本発明は市街地において携帯移動通信端末の利用者の位置と目的地との関係を視覚的に表示する技術に関する。
【背景技術】
【０００２】
従来、公知のGPS受信機能を用いて携帯移動通信端末の利用者が自分の現在位置と目的地との関係を確認するには、先ず利用者が携帯端末の表示パネルに地図を表示し、次にこの地図を探索し目的地を設定するか、インターネットから目的地情報を入手し、これを検索することにより設定していた。
【０００３】
目的地を携帯端末に表示する技術として特許文献１が公知である。この公知技術によると、電子タグを取り付けた掲示板が街角の要所要所に設置されている。携帯端末には電子タグリーダが装着され、この携帯端末を保持する利用者は目的地周辺の掲示板の電子タグから該掲示板の位置を読み取り、この位置情報をサーバに転送する。サーバは掲示板の位置情報からその周辺に存在する店舗に関わる情報またはそれらの店舗にいたる道順などの情報と周辺地図情報を携帯端末に返送する。携帯端末は返送されてきた周辺地図と店舗情報を表示パネルに表示する。
【特許文献１】特開２００５−０３２１５５号公報
【発明の開示】
【発明が解決しようとする課題】
【０００４】
本発明は、近辺地図上のランドマークの地図情報含む目的地情報を格納する電子タグを駅前などに設置されている街路地図掲示板に複数装備し、利用者が選択した電子タグが供給する周辺地図と目的地位置を携帯移動通信端末の表示パネルに表示し、さらに該端末のＧＰＳ(Global Positioning System)信号受信機能により得られた端末の位置を表示パネル上に重ねることにより目的地と端末との位置関係を明確にし、携帯移動通信端末の利便性を向上させる位置情報提供システム、方法および携帯移動通信端末を提供することである。
【０００５】
さらに、本発明は、目的地までの道中において利用者の現在位置を更新することができる 位置情報提供システム、方法および携帯移動通信端末を提供することである。
【０００６】
さらに、本発明は、目的地までの道中において利用者が目にした建物を追加表示することができる 位置情報提供システム、方法および携帯移動通信端末を提供することである。
【課題を解決するための手段】
【０００７】
本発明第一の観点において、本発明の位置情報提供システムは電子タグリーダおよびＧＰＳ信号受信機能を有する携帯移動通信端末、と街路地図および該地図上に存在する複数の目的地に一対一で対応する複数の電子タグを有する掲示板を備え、前記複数の電子タグの各は複数の目的地の名称と位置を示す一覧表と、これらの目的地を含む周辺地図からなる目的地情報を格納し、前記電子タグリーダは前記複数の電子タグの１つから目的地情報を読み出し該目的地情報に含まれる周辺地図を前記端末の表示パネルに表示し、該周辺地図上に少なくとも１つの目的地の位置と前記ＧＰＳ信号受信機能から得た端末の位置を表示することを特徴とする。
【０００８】
本発明第二の観点において、本発明の位置情報提供方法は（a)携帯移動通信端末の電子タグリーダを街路地図上に存在する複数の目的地に一対一で対応する複数の電子タグの１つに接近させ目的地の名称と位置を示す一覧表と、これらの目的地を含む周辺地図を読み出すステップ、（b)該周辺地図を前記端末の表示パネルに表示するステップ、（c)前記端末のＧＰＳ信号受信機能を利用し該端末の位置を取得するステップ、（d)取得した端末の位置を前記表示された周辺地図上に表示するステップ、と（e)前記周辺地図上に少なくとも１つの目的地の位置を表示するステップを含むことを特徴とする
。
【０００９】
本発明第三の観点において、本発明の携帯移動通信端末は街路地図および該地図上に存在する複数の目的地に一対一で対応する複数の電子タグの１つに近接したとき、該電子タグから目的地の名称と位置を示す一覧表と、これらの目的地を含む周辺地図からなる目的地情報を読み出す電子タグリーダ、ＧＰＳ信号受信機能、表示パネル、および読出された目的地情報に含まれる周辺地図を該表示パネルに表示し、該周辺地図上に少なくとも１つの目的地の位置と前記ＧＰＳ信号受信機能から得た端末の位置を該表示パネルに表示する制御部を備えることを特徴とする携帯移動通信端末。
【００１０】
更に、本発明第四観点において、本発明の制御プログラムは（a) 携帯移動通信端末の電子タグリーダを街路地図上に存在する複数の目的地に一対一で対応する複数の電子タグの１つに接近させ目的地の名称と位置を示す一覧表と、これらの目的地を含む周辺地図を読み出すステップ、（b) 該周辺地図を前記端末の表示パネルに表示するステップ、（c) 前記端末のＧＰＳ信号受信機能を利用し該端末の位置を取得するステップ、（d) 取得した端末の位置を前記表示された周辺地図上に表示するステップ、と（e) 前記周辺地図上に少なくとも１つの目的地の位置を表示するステップを実行することを特徴とする制御プログラム。
【発明を実施するための最良の形態】
【００１１】
図１は本発明の携帯移動電話端末の構成を示すブロック図でIＭＴ−２０００等の標準規格に基づいている。該端末１は通信用無線インターフェース２とアンテナ３を介し移動無線通信網の最寄りの基地局に無線リンクを設定し、受信信号のデジタル変換を実行する。 
制御部６は、携帯端末１の全体の動作を司るＣＰＵ(Central Processing
Unit)からなるハードウェアと、そのＣＰＵによって実行される各種プログラムとからなる。本実施形態において、該ＣＰＵには、後述するフローチャートを実現するプログラムが実装されている。また、制御部６はキーパッド７からの選択信号に基づき呼処設定処理を実行し相手側との間に通話チャンネルを設定し、スピーカ１０およびマイク１１からなる通話回路により携帯電話本来の基本性能を提供する。
【００１２】
携帯端末１の側面図である図２に示すように、電子タグリーダ１２は表示パネル（ＬＣＤ）９の反対側に実装されており、制御部６により起動されると近接の電子タグから目的地情報を読み出し、これをフラッシュメモリ８に保存する。このフラッシュメモリ８の格納領域は複数の個人データ別に分かれており、該当する領域に該電子タグから読み出した目的地情報を個人データとして格納する。格納された目的地情報はＧＰＳ衛星から取得した端末の位置とともに表示パネル９に表示される。
【００１３】
キーパッド７はＧＰＳ機能ボタン１４が設けられ、利用者がこのボタンを押下するとＧＰＳ用無線インターフェース４が起動されアンテナ５を介し複数のＧＰＳ衛星からの信号を受信し、受信した複数の信号を処理し端末の現在位置情報を取得し、制御部６に供給する。
【００１４】
ＵＩＭ（User Identity Module)カード１３はＩＭＳＩ（International
Mobile Subscriber Identifier）により携帯端末の利用者を特定する。そしてユーザは、携帯端末１の利用に際して、ＵＩＭカード１３を携帯端末に設けられたスロットに装着する。これにより、利用者は、携帯移動通信網を介し他者との会話や、契約している各種サービス（Ｗｅｂサイトの閲覧等）を利用することができる。
【００１５】
図３は駅前などに設置されている近辺街路地図２１を掲示する掲示板２０の一例を示す。該街路地図には建物Ａ、建物Ｂ等のランドマークが掲示され、これらの建物の名称２２と一対一で対応する複数の電子タグ２３が設置されている。携帯端末１の電子タグリーダ１２は、利用者によって電子タグ２３の１つに近接させられると、該電子タグに格納されている目的地情報を読み出す。
【００１６】
図４と５に制御部６が実行するフローチャートを示す。まず、利用者がＧＰＳぼたん１４を１秒以下の時間内で押下すると（ステップ４０１）、制御部６はステップ４０２に進み電子タグから目的地情報が読み出されたか否かを判定する。利用者が掲示板２０の前に立ち止まり電子タグ２３の１つに電子タグリーダ１２を近づけていればステップ４０２の判定がＹＥＳとなり、ステップ４０３で読み出した目的地情報をメモリ８に格納する。
【００１７】
図６に示すように目的地情報は個人別領域に格納される。該目的地情報は複数の目的地別に複数のエントリ５０１があり、各エントリは更に複数のフィールドに分かれており、建物名はフィールド５０２に、緯度と経度はそれぞれフィールド５０３と５０４に、住所はフィールド５０５に保存される。
【００１８】
図４に戻り、制御部６はステップ４０４でデータの読出しが完了したことを表示パネル(LCD)上に表示する。利用者はこの「読出し完了」表示を認識しＧＰＳボタン１４を１秒以上押下すると（ステップ４０５）、図７に示すＧＰＳ機能画面を表示パネル９に表示する（ステップ
４０６）。
【００１９】
図７に示すようにＧＰＳ機能画面は「端末位置情報の取得」６０１、「目的地情報の取得」６０２、と「終了」６０３の選択項目があり、利用者はこのうちの１つを選択する。利用者が項目６０１（端末位置情報の取得）を選択すると（ステップ４０７）、制御部６はＧＰＳ無線インターフェース４を起動し複数のＧＰＳ衛星から信号を受信し、受信した複数の信号を処理して端末位置情報を求める（ステップ４０８）。
【００２０】
次にステップ４０９において、制御部６はフラッシュメモリ８から地図情報を読み出し、ステップ４０８で得た端末位置情報と重ね合成画面として表示パネル９に表示し、この合成画面上で端末の位置を現在位置として表示する（図８参照）。
【００２１】
次に、利用者がＧＰＳボタンを１秒以上押下すると（ ステップ４１０）、図７に示すＧＰＳ機能画面が再び表示される（ステップ４１１、図５）。利用者が項目６０２（目的地情報の取得）を選択すると（ステップ４１２）、制御部６はメモリ８から目的地名の一覧表を読み出し、図９に示す目的地選択画面を表示パネルに表示する（ステップ４１３）。この目的地選択画面には点炊くようのボタンマーク８０１が各建物名の横に配置されている。利用者が目的の建物名苦い等するボタンマーク８０１を選択すると（ステップ４１４）、選択した建物名の緯度と経度をメモリ８から読み出し目的地の位置として前記合成画面上に表示する（ステップ４１５）。
【００２２】
従って、利用者は携帯端末１を携帯しながら表示パネル9上の地図を頼りに目的地に向かうことになる。この道中において利用者が自分の位置を知りたいときはいつでも画面上の現在位置を更新することができる。
【００２３】
即ち、ステップ４１５で画面が表示された後、ステップ４１６で利用者がＧＰＳボタン１４を１秒以下押下すると、制御部６はステップ４１７に進み、ＧＰＳ無線インターフェース４を起動し端末の現在位置を検出し、画面上の現在位置を更新し（ステップ４１８）、ステップ４１６に戻る。これにより、利用者が再びＧＰＳボタン１４を１秒以下押下することで目的地につくまで現在位置を更新することができる。
【００２４】
ステップ４１６で利用者がＧＰＳボタン１４を１秒以上押下すると、制御部６はステップ４１１に戻り、ＧＰＳ機能画面を再び表示する。したがって、利用者は目的地に至る道中で自分が目にした建物をランドマークとして表示パネルに表示し自分の現在位置との関係を確認したい場合、ステップ４１６でＧＰＳボタン１４を１秒以上押下し、ステップ４１１でＧＰＳ機能画面を表示し、「目的地情報取得」を選択し（ステップ４１２）、メモリ８から目的地一覧表を読み出し（ステップ４１３）、該当する建物名を選択すれば（ステップ４１４）、目にした建物の位置を表示画面上に追加表示できる。利用者が再びステップ
４１６でＧＰＳボタン１４を１秒以上押下し上記の操作を繰り返すことで、次に目にした建物の位置を画面に追加表示することができる。
【図面の簡単な説明】
【００２５】
【図１】本発明の携帯電話端末を表すブロック図。
【図２】本発明の携帯電話端末の正面図および側面図。
【図３】街路地図を掲示し複数の電子タグを備えた掲示板。
【図４】携帯端末の制御部の動作を示すフローチャート。
【図５】携帯端末の制御部の動作を示すフローチャート。
【図６】メモリに格納された目的地情報を示す図。
【図７】表示パネルに表示されたＧＰＳ機能画面を示す図。
【図８】表示パネルに表示された周辺地図とその地図上に表示された目的地と端末の現在位置を示す図。
【図９】表示パネルに表示された目的地選択画面を示す図。
【符号の説明】
【００２６】
１  携帯移動通信端末
２  通信用無線インターフェース
４  ＧＰＳ用無線インターフェース
６  制御部
７  キーパッド
８  メモリ
９  表示パネル
１２  電子タグリーダ
２０  掲示板
２３  電子タグ
【図１】
2007271391.tif 000003
【図２】
2007271391.tif 000004
【図３】
2007271391.tif 000005
【図４】
2007271391.tif 000006
【図５】
2007271391.tif 000007
【図６】
2007271391.tif 000008
【図７】
2007271391.tif 000009
【図８】
2007271391.tif 000010
【図９】
2007271391.tif 000011